(57)【要約】      （修正有）【課題】容易に表示内容を変更可能な価格表示具を提供する。【解決手段】価格表示具１は、台部２と、台部２から起立するとともに、平坦な表示面１０を有する起立部３と、表示面１０から窪んで設けられ、表示面１０の幅方向Ａに延びる少なくとも１つの溝１２と、溝１２の内周面に沿って設けられたレール２０と、レール２０に出入自在に収められる表示板３０とを具備している。表示板３０は、少なくとも一方の面に文字が印刷された第１の部分３１と、第１の部分３１と幅方向Ａに隣接する第２の部分３２とを有している。第２の部分３２は、少なくとも一方の面に文字が印刷された複数の小片を幅方向Ａに着脱可能に結合してなっている。【選択図】図１
0003154567.tif 000002
【実用新案登録請求の範囲】
【請求項１】
台部と、
前記台部から起立するとともに、平坦な表示面を有する起立部と、
前記表示面から窪んで設けられ、前記表示面の幅方向に延びる少なくとも１つの溝と、
前記溝の内周面に沿って設けられたレールと、
前記レールに出入自在に収められる表示板と、
を具備し、
前記表示板は、
少なくとも一方の面に文字が印刷された第１の部分と、
前記第１の部分と前記幅方向に隣接するとともに、少なくとも一方の面に文字が印刷された複数の小片を前記幅方向に着脱可能に結合した第２の部分と、
を有することを特徴とする価格表示具。
【請求項２】
前記レールは、前記幅方向の一端に設けられたストッパを有し、
このストッパは、前記表示板の前記幅方向の一方の端部に突き当たることを特徴とする請求項１に記載の価格表示具。
【請求項３】
前記台部および前記起立部は、それぞれ透明な材料からなることを特徴とする請求項１に記載の価格表示具。
【考案の詳細な説明】
【技術分野】
【０００１】
本考案は、表示内容を変更可能な価格表示具に関する。
【背景技術】
【０００２】
例えば小売業のような販売業者は、消費者に商品の内容や価格を示すための価格表示具を商品の近辺に設置している。このような価格表示具は、商品ごとに新しいものを作るとコストが大きくなってしまうため、表示する内容を変更できるものが用いられる場合がある。
【０００３】
例えば特許文献１に開示される価格表示具は、台板に磁力によって貼り付くシート片を剥がすことにより、所望の価格を表示することが可能である。他の価格表示具の一例として、例えば文字が印刷されるとともに磁力を有する複数のシート片を台板に貼り付けることにより、所望の価格を表示するものが知られている。
【０００４】
このような価格表示具では、例えば「１」や「２」のような数字が印刷されたシート片と、「￥」や「，」のような記号が印刷されたシート片とを組み合わせて用いる。数字が印刷されたシート片と記号が印刷されたシート片とを組み合わせることにより、組み合わされたシート片は全体として「￥１，２００」のように商品の価格を表示する。
【先行技術文献】
【特許文献】
【０００５】
【特許文献１】特開２０００−９８９０８号公報
【考案の概要】
【考案が解決しようとする課題】
【０００６】
上記の文字が印刷されたシート片を用いる価格表示具は、複数のシート片を１枚ずつ台板に貼り付ける必要があり、作業が煩雑である。例えば１枚のシート片につき１文字が印刷されている場合、「￥１０，０００」と表示する際は、６枚のシート片を台板に貼り付ける必要がある。表示を変更する際は、同様に６枚のシート片を台板から剥がす必要が生じる。  
そこで、本考案の目的は、容易に表示内容を変更可能な価格表示具を提供することである。
【課題を解決するための手段】
【０００７】
上記目的を達成するための本考案の１つの形態に係る価格表示具は、  
台部と、前記台部から起立するとともに、平坦な表示面を有する起立部と、前記表示面から窪んで設けられ、前記表示面の幅方向に延びる少なくとも１つの溝と、前記溝の内周面に沿って設けられたレールと、前記レールに出入自在に収められる表示板とを具備している。
【０００８】
前記表示板は、少なくとも一方の面に文字が印刷された第１の部分と、前記第１の部分と前記幅方向に隣接する第２の部分とを有している。前記第２の部分は、少なくとも一方の面に文字が印刷された複数の小片を前記幅方向に着脱可能に結合してなっている。
【考案の効果】
【０００９】
本考案の価格表示具によれば、表示内容を容易に変更することができる。
【図面の簡単な説明】
【００１０】
【図１】本考案の第１の実施の形態の価格表示具を示す斜視図。
【図２】図１の価格表示具のレールの一方の端部を拡大して示す斜視図。
【図３】図１の価格表示具のレールの他方の端部を拡大して示す斜視図。
【図４】図１の価格表示具の表示板を示す平面図。
【図５】図４の表示板の連結片を示す組立図。
【図６】本考案の第２の実施の形態の価格表示具を示す斜視図。
【考案を実施するための形態】
【００１１】
以下に、本考案の第１の実施の形態を、図１ないし図５に基づいて説明する。  
図１に示すように、価格表示具１は、台部２と起立部３とを有している。台部２および起立部３は、例えばアクリルのような透明な材料によって一体に成形されている。台部２は、平坦な矩形状の部材である。台部２の上面２ａや底面には、錘として図示しない金属板が取り付けられている。
【００１２】
起立部３は、直立部５と傾斜部６とを有している。直立部５および傾斜部６は、連続した平板状の部材で形成されている。直立部５は、台部２の１つの外周端部から、台部２の上面２ａと直交する方向に起立している。傾斜部６は、直立部５の上端から斜め後方に延びており、平坦な表示面１０を有している。
【００１３】
傾斜部６は、表示面１０から窪んで設けられた５つの溝１２を有している。溝１２は、図１中に示す表示面１０の幅方向Ａにそれぞれ延びている。５つの溝１２は、図１中に示すように幅方向Ａと直交する表示面１０の高さ方向Ｂにそれぞれ平行に並んで設けられている。溝１２は、それぞれ傾斜部６の一方の側面６ａから、一方の側面６ａとは反対側に位置する他方の側面６ｂまで連続している。
【００１４】
図２および図３に示すように、溝１２は、互いに向かい合う第１および第２の内周面１４，１５および、第１の内周面１４と第２の内周面１５との間に跨る第３の内周面１６を有している。第３の内周面１６は、表示面１０と平行な平面である。
【００１５】
傾斜部６は、それぞれの溝１２の第１ないし第３の内周面１４〜１６に沿って設けられた有色のレール２０を有している。レール２０は、それぞれ傾斜部６の一方の側面６ａから他方の側面６ｂまで連続している。図２および図３に示すように、レール２０は、底部２１と、第１の側部２２と、第２の側部２３と、第１の爪部２４と、第２の爪部２５とを有し、断面略「Ｃ」字状をなしている。
【００１６】
底部２１は、溝１２の第３の内周面１６に沿って延びている。第１および第２の側部２２，２３は、それぞれ第１および第２の内周面１４，１５に沿って延びている。第１の爪部２４は、第１の側部２２の端部であって底部２１に隣接する位置とは反対側の端部から、第１の側部２２と直交する方向に延びている。第２の爪部２５は、第２の側部２３の端部であって底部２１に隣接する位置とは反対側の端部から、第２の側部２３と直交する方向に延びている。
【００１７】
表示面１０と、第１の爪部２４と、第２の爪部２５とはそれぞれ同一平面上に位置している。第１の爪部２４と第２の爪部２５との間は開放されている。
【００１８】
レール２０は、図２に示す幅方向Ａの一端に設けられたストッパ２７と、図３に示す幅方向Ａの他端に設けられた開放部２８とを有している。ストッパ２７は、レール２０の底部２１から、底部２１と直交する方向に立ち上がっている。
【００１９】
図１ないし図３に示すように、レール２０には合成樹脂製の表示板３０が出入自在に収納されている。表示板３０は、有色の矩形状の部材である。図４に示すように、表示板３０は、第１の部分３１、および第１の部分３１と幅方向Ａに隣接する第２の部分３２を有している。
【００２０】
第２の部分３２は、複数の第１の小片３５を結合してなる連結片３６と、第２の小片３７と、第３の小片３８とをそれぞれ幅方向Ａに着脱可能に結合して構成されている。図５に示すように、複数の第１の小片３５は、印刷面４０と、嵌合突起４１と、嵌合溝４２とをそれぞれ有している。
【００２１】
印刷面４０は、第１の小片３５の一方の面に設けられている。図４に示すように、印刷面４０には、例えば「１」のような数字や、「，」のような記号などの文字が例えばシルクスクリーンによって印刷されている。図５に示すように、嵌合突起４１は、第１の小片３５の幅方向Ａの一方の端部に設けられている。嵌合溝４２は、第１の小片３５の幅方向Ａの他方の端部に設けられている。
【００２２】
嵌合突起４１は、嵌合溝４２と相補的な形状の突起であり、他の第１の小片３５の嵌合溝４２と着脱可能に嵌め合わされる。嵌合突起４１と嵌合溝４２を嵌め合わせることにより、第１の小片３５同士が幅方向Ａに着脱可能に結合する。
【００２３】
図５に示すように、複数の第１の小片３５同士を結合することで、連結片３６が形成される。連結片３６は、複数の第１の小片３５の印刷面４０にそれぞれ印刷された文字によって、例えば全体として「１，２００」のような数字を表示する。
【００２４】
第２の小片３７は、第１の小片３５と同様の印刷面４０および嵌合突起４１を有している。第２の小片３７は、嵌合突起４１とは反対側の端部に、第１の部分３１に突き当たる平面を有している。第２の小片３７の印刷面４０には、例えば記号の「￥」のような文字が印刷されている。
【００２５】
第３の小片３８は、第１の小片３５と同様の印刷面４０および嵌合溝４２を有している。第３の小片３８は、嵌合溝４２とは反対側の端部に平面を有している。第３の小片３８の印刷面４０には、例えば「税込」のような文字が印刷されている。
【００２６】
連結片３６を形成する第１の小片３５の嵌合突起４１と第３の小片３８の嵌合溝４２とを嵌め合わせ、連結片３６を形成する第１の小片３５の嵌合溝４２と第２の小片３７の嵌合突起４１とを嵌め合わせることにより、図４に示すような第２の部分３２が形成される。
【００２７】
第１ないし第３の小片３５，３７，３８のそれぞれの印刷面４０は、全て同一方向に向いていても良い。幾つかの第１ないし第３の小片３５，３７，３８の印刷面４０と、その他の第１ないし第３の小片３５，３７，３８の印刷面４０とが反対方向を向いていても良い。
【００２８】
印刷面４０とは反対側に位置する面は、文字が印刷されていない。このため、印刷面４０とは反対側に位置する面は、空白を表現するために用いる。例えば第２の部分３２は、第１ないし第３の小片３５，３７，３８の印刷面４０と、印刷面４０とは反対側に位置する面との組み合わせによって、「￥□１，２００税込」のように、商品の値段を表わすことができる。この「□」は、印刷面４０とは反対側に位置する面が表わす空白である。
【００２９】
第１の部分３１の一方の面には、第１の小片３５と同様の印刷面４０が設けられている。第１の部分３１の印刷面４０には、例えば「ＪＡＣＫＥＴ」や「ＳＨＩＲＴ」のように、商品の内容を表わす文字が印刷されている。第１の部分３１の幅方向Ａの長さは、第１ないし第３の小片３５，３７，３８の幅方向Ａの長さよりも長い。第１の部分３１の幅方向Ａの両端部には、それぞれ平面が形成されている。
【００３０】
第１の部分３１と、第２の部分３２を構成する第１ないし第３の小片３５，３７，３８との、高さ方向Ｂの長さはそれぞれ同じである。第１の部分３１と、第２の部分３２を構成する第１ないし第３の小片３５，３７，３８との、幅方向Ａの長さはそれぞれ異なっていても良い。
【００３１】
図３に示すように、表示板３０は、開放部２８からレール２０内に挿入される。先に、第１の部分３１がレール２０内に挿入される。第１の部分３１は、印刷面４０がレール２０から露出するようにレール２０内に収容される。
【００３２】
第１の部分３１がレール２０内に収容された状態で、第２の部分３２がレール２０内に挿入される。第２の部分３２は、第１ないし第３の小片３５，３７，３８の少なくとも１つが、印刷面４０をレール２０から露出するようにレール２０内に収容される。
【００３３】
レール２０に第１および第２の部分３１，３２が収容されると、第１の部分３１の第２の部分３２とは反対側に位置する端部が、ストッパ２７に突き当たる。言い換えると、表示板３０の幅方向Ａの一方の端部は、ストッパ２７に突き当たる。
【００３４】
次に、上記構成の価格表示具１の効果について説明する。  
表示板３０の第２の部分３２は、第１ないし第３の小片３５，３７，３８を着脱可能に結合して形成されている。第１ないし第３の小片３５，３７，３８を組み替えることにより、表示内容を極めて容易に変更することができる。
【００３５】
第１の部分３１と、第２の部分３２を構成する第１ないし第３の小片３５，３７，３８との、高さ方向Ｂの長さはそれぞれ同じであるため、容易に表示板３０を直線状に形成することができる。これにより、表示板３０に表示された文字を、バランス良く直線状に並べることができる。
【００３６】
さらに、表示板３０は合成樹脂で形成されているため、表示板３０にシルクスクリーンで印刷された文字は耐久性に優れている。すなわち、表示板３０に印刷された文字を擦っても、この文字が表示板３０から剥落しにくい。
【００３７】
加えて、台部２および起立部３は、透明な材料によって形成されているため、有色の表示板３０を目立たせることができる。これにより、効果的に表示内容を消費者に示すことができる。
【００３８】
その上、レール２０にストッパ２７が設けられているため、表示板３０がレール２０のストッパ２７が設けられた端部から飛び出すことを防止できる。これにより、価格表示具１が傾いたとしても表示板３０が落ちることを防止でき、表示板３０をレール２０内にぴったり収めることができる。
【００３９】
さらに本実施形態のように、第１の部分３１が商品の内容を表わし、第２の部分３２が商品の価格を表わすというように、第１の部分３１と第２の部分３２とのそれぞれの表示内容が明確であると、視認性が良い。その上、５つの表示板３０を並べて設けているので、組み合わせて用いる商品の内容および価格を一見して理解することができる。
【００４０】
次に、本考案の第２の実施の形態について、図６を参照して説明する。このとき、第１の実施の形態の価格表示具１と同一の構成部分には同一の参照符号を付してその説明を省略する。
【００４１】
第２の実施の形態の価格表示具１は、台部２と、起立部３とを有している。台部２および起立部３は、連続した平板状の部材で形成されている。起立部３は、台部２の１つの外周端部から斜め後方に延びており、平坦な表示面１０を有している。
【００４２】
第２の実施の形態の起立部３は、第１の実施の形態の起立部３よりも小さい。このため、第２の実施の形態の価格表示具１は、棚の上のような消費者の目線に近い位置に配置することができる。
【００４３】
なお、第１の実施の形態では、表示板３０の第１の部分３１と第２の部分３２とは切り離されているが、第１の部分３１と第２の部分３２とにそれぞれ相補的な連結手段を設けることで、第１の部分３１と第２の部分３２とを結合しても良い。
【００４４】
さらに、印刷面４０は、第１の部分３１および第１ないし第３の小片３５，３７，３８のそれぞれの一方の面にのみ設けられている。これに限らず、印刷面４０は、第１の部分３１および第１ないし第３の小片３５，３７，３８のそれぞれの両面に設けられていても良い。
【００４５】
加えて、表示面１０には５つの溝１２が設けられているが、これに限らず１つの溝１２のみが設けられていても良い。さらに、台部２および起立部３は透明な材料で形成されているが、有色の材料で形成されていても良い。
【符号の説明】
【００４６】
１…価格表示具，２…台部，３…起立部，１０…表示面，１２…溝，２０…レール，３０…表示板，３１…第１の部分，３２…第２の部分，３５…第１の小片，３６…連結片，３７…第２の小片，３８…第３の小片，４０…印刷面。
【図１】
0003154567.tif 000003
【図２】
0003154567.tif 000004
【図３】
0003154567.tif 000005
【図４】
0003154567.tif 000006
【図５】
0003154567.tif 000007
【図６】
0003154567.tif 000008